(57)【特許請求の範囲】
【請求項１】
第１携帯端末から画像データ及び動画データを受信する受信部と、
前記画像データ及び動画データを保存する記憶部と、
前記動画データの保存場所情報を前記第１携帯端末へ送信する第１送信部と、
前記画像データ及び前記保存場所情報をコード化したコード画像がプリントされたプリント物から前記コード画像を読み取り、読み取ったコード画像から前記保存場所情報を取得してアクセスしてきた第２携帯端末へ、前記動画データを送信する第２送信部と、
を備え、
前記第２送信部は、前記第２携帯端末が前記プリント物から読み取った画像の特徴点と、前記記憶部に保存された画像データの特徴点とが一致した場合に、前記第２携帯端末へ前記動画データを送信することを特徴とするサーバ装置。
【請求項２】
前記記憶部に前記画像データ及び動画データを保存してから所定期間経過した場合、前記第２携帯端末へ、動画データの削除を通知することを特徴とする請求項１に記載のサーバ装置。
【請求項３】
携帯端末のコンピュータを機能させるプログラムであって、
記憶部に記憶されている動画データから静止画像を切り出す切り出し部と、
前記動画データ及び前記静止画像の画像データをサーバ装置へ送信する送信部と、
前記サーバ装置から前記動画データの保存場所情報を受信する受信部と、
前記画像データ及び前記保存場所情報を画像プリント装置へ転送する転送部と、
前記携帯端末のカメラを用いて、プリント物にプリントされたコード画像を読み取って前記保存場所情報を取得し、前記保存場所情報に基づいて前記サーバ装置にアクセスして前記画像データを取得し、前記カメラを用いて前記プリント物上の画像を取得する取得部と、
前記サーバ装置から取得した画像と、前記プリント物上の画像の特徴点を比較する比較部と、
特徴点が一致した場合に、前記サーバ装置から前記画像データに対応する動画データを受信し、前記動画データを、前記カメラで撮影している前記プリント物の画像に重畳させて再生する再生部と、
として前記コンピュータを機能させるプログラム。
【請求項４】
請求項３において、さらに、
前記保存場所情報の受信後、所定期間内に前記画像データ及び前記保存場所情報が画像プリント装置へ転送されない場合、又は画像プリント装置へ転送されていない前記画像データ及び前記保存場所情報の数が所定数に達した場合に、未購入のプリント物があることを報知する期限管理部として携帯端末のコンピュータを機能させるプログラム。
【請求項５】
第１携帯端末、第２携帯端末、画像プリント装置、及びサーバ装置を用いた動画データ配信方法であって、
前記第１携帯端末が、動画データから静止画像を切り出し、前記動画データ及び前記静止画像の画像データを前記サーバ装置へ送信し、
前記サーバ装置が、前記第１携帯端末から受信した前記動画データ及び画像データを記憶部に保存し、前記動画データの保存場所情報を前記第１携帯端末へ送信し、
前記第１携帯端末が、前記画像データ及び前記保存場所情報を前記画像プリント装置へ転送し、
前記画像プリント装置が、前記保存場所情報をコード化してコード画像を生成し、前記画像データと前記コード画像とを合成した合成画像を印画紙にプリントしてプリント物を出力し、
前記第２携帯端末が、カメラを用いて、前記プリント物にプリントされたコード画像を読み取って前記保存場所情報を取得し、前記保存場所情報に基づいて前記サーバ装置にアクセスして前記画像データを取得し、前記カメラを用いて前記プリント物上の画像を取得し、前記サーバ装置から取得した画像と、前記プリント物上の画像の特徴点を比較し、特徴点が一致した場合に、前記サーバ装置から前記画像データに対応する前記動画データを取得し、前記動画データを、前記カメラで撮影している前記プリント物の画像に重畳させて再生することを特徴とする動画データ配信方法。
【発明の詳細な説明】
【技術分野】
【０００１】
本発明は、携帯端末においてＡＲ技術により動画を再生するためのサーバ装置、動画データ配信方法、及びプログラムに関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データの画像を表示し、利用者に提示する。そして、利用者が、プリントする画像を選択し、プリントサイズやプリント枚数を指定すると、画像プリント装置は画像を指定されたサイズでプリント出力する。このような画像プリント装置においては、利用者のニーズが多様化しており、常に新たなサービスが求められている。
【０００３】
従来、タブレット端末やスマートフォン等の携帯端末で撮影した現実空間の画像上に、仮想物体等の画像を重畳して表示する拡張現実（ＡＲ：Ａｕｇｍｅｎｔｅｄ  Ｒｅａｌｉｔｙ）技術が知られている（例えば特許文献１、２参照）。
【先行技術文献】
【特許文献】
【０００４】
【特許文献１】特開２０１１−８７５２号公報
【特許文献２】特表２０１２−５０３２２８号公報
【発明の概要】
【発明が解決しようとする課題】
【０００５】
本発明は、上記従来の実状に鑑みてなされたものであり、画像プリント装置から出力されたプリント物を携帯端末で撮影することで、プリント物に動画が重畳して再生されるように携帯端末へ動画データを配信するサーバ装置、動画データ配信方法、及びプログラムを提供することを課題とする。
【課題を解決するための手段】
【０００６】
本発明の一態様によるサーバ装置は、第１携帯端末から画像データ及び動画データを受信する受信部と、前記画像データ及び動画データを保存する記憶部と、前記動画データの保存場所情報を前記第１携帯端末へ送信する第１送信部と、前記画像データ及び前記保存場所情報をコード化したコード画像がプリントされたプリント物から前記コード画像を読み取り、読み取ったコード画像から前記保存場所情報を取得してアクセスしてきた第２携帯端末へ、前記動画データを送信する第２送信部と、を備えるものである。
【０００７】
本発明の一態様によるサーバ装置において、前記第２送信部は、前記第２携帯端末が前記プリント物から読み取った画像の特徴点と、前記記憶部に保存された画像データの特徴点とが一致した場合に、前記第２携帯端末へ前記動画データを送信することを特徴とする。
【０００８】
本発明の一態様によるサーバ装置は、前記記憶部に前記画像データ及び動画データを保存してから所定期間経過した場合、前記第２携帯端末へ、動画データの削除を通知することを特徴とする。
【０００９】
本発明の一態様によるプログラムは、記憶部に記憶されている動画データから静止画像を切り出す切り出し部と、前記動画データ及び前記静止画像の画像データをサーバ装置へ送信する送信部と、前記サーバ装置から前記動画データの保存場所情報を受信する受信部と、前記画像データ及び前記保存場所情報を画像プリント装置へ転送する転送部と、として携帯端末のコンピュータを機能させるものである。
【００１０】
本発明の一態様によるプログラムは、さらに、前記携帯端末のカメラを用いて、プリント物にプリントされたコード画像を読み取って前記保存場所情報を取得し、前記保存場所情報に基づいて前記サーバ装置にアクセスして前記画像データを取得し、前記カメラを用いて前記プリント物上の画像を取得する取得部と、前記サーバ装置から取得した画像と、前記プリント物上の画像の特徴点を比較する比較部と、特徴点が一致した場合に、前記サーバ装置から前記画像データに対応する動画データを受信し、前記動画データを、前記カメラで撮影している前記プリント物の画像に重畳させて再生する再生部と、として携帯端末のコンピュータを機能させるものである。
【００１１】
本発明の一態様によるプログラムは、さらに、前記保存場所情報の受信後、所定期間内に前記画像データ及び前記保存場所情報が画像プリント装置へ転送されない場合、又は画像プリント装置へ転送されていない前記画像データ及び前記保存場所情報の数が所定数に達した場合に、未購入のプリント物があることを報知する期限管理部として携帯端末のコンピュータを機能させるものである。
【００１２】
本発明の一態様による動画データ配信方法は、第１携帯端末、第２携帯端末、画像プリント装置、及びサーバ装置を用いた動画データ配信方法であって、前記第１携帯端末が、動画データから静止画像を切り出し、前記動画データ及び前記静止画像の画像データを前記サーバ装置へ送信し、前記サーバ装置が、前記第１携帯端末から受信した前記動画データ及び画像データを記憶部に保存し、前記動画データの保存場所情報を前記第１携帯端末へ送信し、前記第１携帯端末が、前記画像データ及び前記保存場所情報を前記画像プリント装置へ転送し、前記画像プリント装置が、前記保存場所情報をコード化してコード画像を生成し、前記画像データと前記コード画像とを合成した合成画像を印画紙にプリントしてプリント物を出力し、前記第２携帯端末が、カメラを用いて、前記プリント物にプリントされたコード画像を読み取って前記保存場所情報を取得し、前記保存場所情報に基づいて前記サーバ装置にアクセスして前記動画データを取得し、前記動画データを、前記カメラで撮影している前記プリント物の画像に重畳させて再生することを特徴とする。
【発明の効果】
【００１３】
本発明によれば、画像プリント装置から出力されたプリント物を携帯端末で撮影することで、プリント物に動画が重畳して再生されるように携帯端末へ動画データを配信する。
【図面の簡単な説明】
【００１４】
【図１】本実施形態に係る動画データ配信システムの概略構成図である。
【図２】画像プリント装置から出力されるプリント物の例を示す図である。
【図３】携帯端末の構成図である。
【図４】動画登録再生アプリを実行することで実現される機能ブロック図である。
【図５】サーバ装置の構成図である。
【図６】画像プリント装置の構成図である。
【図７】画像プリント装置における画像購入時の表示画面の例を示す図である。
【図８】本実施形態に係る動画データ配信方法を説明するシーケンス図である。
【発明を実施するための形態】
【００１５】
以下、本発明の実施の形態を図面に基づいて説明する。
【００１６】
図１は、本実施形態に係る動画データ配信システムの概略構成図である。図１に示すように、動画データ配信システムは、サーバ装置１、画像プリント装置２、及び携帯端末４（４Ａ、４Ｂ）を備える。携帯端末４は、カメラや通信機能を持つスマートフォンやタブレット機器等である。携帯端末４Ａは、画像データと動画データとをサーバ装置１に登録する。動画データは、例えば携帯端末４Ａのカメラで撮影した動画である。画像データは、例えば動画データから切り出された静止画像のデータである。
【００１７】
サーバ装置１は、携帯端末４Ａから画像データ及び動画データを受信すると、動画データにアクセスするための保存場所情報（例えばＵＲＬ）を携帯端末４Ａへ送信する。
【００１８】
ユーザが、携帯端末４Ａから画像データ及び保存場所情報を画像プリント装置２へ転送し、料金を支払うと、画像プリント装置２は保存場所情報をコード化して二次元コードを生成し、二次元コード画像と、携帯端末４Ａから受信した画像データの画像とを合成し、合成画像を印画紙にプリントしてプリント物３を出力する。これにより、図２に示すように、画像３１及び二次元コード３２がプリントされたプリント物３が作成される。
【００１９】
ユーザが携帯端末４Ｂのカメラでプリント物３上の二次元コード３２を撮影すると、携帯端末４Ｂは二次元コード３２を読み取って保存場所情報を取得し、サーバ装置１にアクセスする。
【００２０】
携帯端末４Ｂは、サーバ装置１から画像データを取得するとともに、携帯端末４Ｂのカメラでプリント物３の画像３１を撮影するようユーザに指示する。ユーザが携帯端末４Ｂのカメラで画像３１を撮影すると、携帯端末４Ｂは、撮影された画像３１と、サーバ装置１から取得した画像との特徴点を比較して照合する。照合により２つの画像が一致した場合、携帯端末４Ｂはサーバ装置１から画像３１に対応する動画データを取得し、ディスプレイ上で動画を再生する。動画再生には公知のＡＲ技術が用いられ、携帯端末４Ｂのカメラで撮影しているプリント物３に動画が重畳して再生される。携帯端末４Ａと携帯端末４Ｂとは同じ端末でもよいし、異なる端末でもよい。
【００２１】
このように、動画データ配信システムでは、携帯端末４（４Ａ）からサーバ装置１に画像データ及び動画データを登録し、サーバ装置１が携帯端末４（４Ａ）に動画データの保存場所情報を通知する。画像プリント装置２は、携帯端末４（４Ａ）から画像データ及び保存場所情報が転送され、画像３１及び二次元コード３２がプリントされたプリント物３を販売する。プリント物３を購入したユーザは、携帯端末４（４Ｂ）で二次元コード３２を読み取り、サーバ装置１にアクセスして動画データを受信・再生し、画像３１に対応する動画を視聴することができる。
【００２２】
これにより、例えば、ユーザはプリント物３を動画付きの写真として他ユーザに譲渡することができる。他ユーザは、プリント物３の二次元コード３２からサーバ装置１にアクセスして、プリント物３の画像３１に紐付けられた動画を楽しむことができる。
【００２３】
図３は、携帯端末４のブロック構成図である。携帯端末４は、ＣＰＵ４０、メモリ４１、カメラ４２、通信部４３、及びディスプレイ（タッチパネル）４４を備える。
【００２４】
メモリ４１は、動画データ及び動画登録再生アプリ（アプリケーションプログラム）を記憶する。メモリ４１は、フラッシュメモリタイプ、ハードディスクタイプ、マルチメディアカードマイクロタイプ、カードタイプのメモリ（例えば、ＳＤ又はＸＤメモリなど）、ＲＡＭ（Random  Access  Memory）、ＳＲＡＭ（Static  Random  Access  Memory）、ＲＯＭ（Read-Only  Memory）、ＥＥＰＲＯＭ（Electrically  Erasable  Programmable  Read-Only  Memory）、ＰＲＯＭ（Programmable  Read-Only  Memory）、磁気メモリの少なくとも１つのタイプの記憶媒体を含む。
【００２５】
ＣＰＵ４０が動画登録再生アプリを実行することで、図４に示すように、登録部５０、転送部６０、及び再生部７０が実現され、サーバ装置１へのデータ登録、画像プリント装置２へのデータ転送、サーバ装置１からの動画の取得・再生などが行えるようになる。
【００２６】
登録部５０は、切り出し部５１、画像選択部５２、データ送信部５３、及び保存場所情報受信部５４を有する。
【００２７】
切り出し部５１は、メモリ４１に記憶されている動画データから静止画像を切り出す。切り出し部５１は、動画データの場面が大きく変化する部分（カット又はカットブレイクという）を検出し、検出したカット毎に動画データを分割する。隣り合うフレーム間の画像を格子（矩形）に区分し、矩形毎の画素値の平均を求め、平均値の差の絶対値が大きい場合に、その場所がカットであると判定する。カットとカットとの間の動画ブロックに含まれる複数の静止画像の中から代表画像を決定する。代表画像は、動画ブロックの最初の画像、最後の画像、時間的に中間の画像等である。動画ブロック毎に代表画像を決定することで、切り出し部５１は動画データから複数の静止画像を切り出す。
【００２８】
動画データから切り出された複数の静止画像は、ディスプレイ４４に表示される。画像選択部５２は、ユーザから静止画像の選択を受け付ける。
【００２９】
データ送信部５３は、通信部４３を用いて、動画データ、及び選択された静止画像の画像データをサーバ装置１へ送信する。保存場所情報受信部５４は、通信部４３を介して、サーバ装置１から、動画データにアクセスするための保存場所情報を受信する。
【００３０】
転送部６０は、通信部４３を用いて、データ送信部５３がサーバ装置１へ送信した静止画像の画像データと、保存場所情報受信部５４がサーバ装置１から受信した保存場所情報とを画像プリント装置２へ転送する。
【００３１】
再生部７０は、画像取得部７１、特徴点比較部７２、及び動画再生部７３を有する。
【００３２】
画像取得部７１は、カメラ４２を用いてプリント物３にプリントされた二次元コード３２から保存場所情報を読み取り、通信部４３を介してサーバ装置１にアクセスし、画像３１に対応する画像データを取得する。また、画像取得部７１はカメラ４２を用いてプリント物３上の画像３１を取得する。
【００３３】
特徴点比較部７２は、サーバ装置１から取得した画像と、カメラ４２で撮影したプリント物３の画像３１との特徴点を比較する。特徴点が合致した場合、動画再生部７３は、サーバ装置１から動画データを受信する。特徴点が不一致の場合、ディスプレイ４４に再生不可であることが表示される。
【００３４】
動画再生部７３は、公知のＡＲ技術を用いて、受信した動画データを、カメラ４２で撮影しているプリント物３の画像３１に重畳させて再生する。例えば、検出した画像３１の特徴点を追跡してカメラ４２の位置姿勢を推定し、カメラ画像と動画の位置合わせを行う。
【００３５】
図５はサーバ装置１の構成図である。サーバ装置１は、画像データ受信部１１、動画データ受信部１２、保存場所情報送信部１３、画像データ送信部１４、動画データ送信部１５、動画配信管理部１６、及びデータベース１７を備え、例えばコンピュータにより構成される。
【００３６】
画像データ受信部１１及び動画データ受信部１２は、携帯端末４から画像データ及び動画データを受信し、これらを対応付けてデータベース１７に格納する。保存場所情報送信部１３は、携帯端末４から動画データを受信すると、動画データにアクセスするための保存場所情報を携帯端末４へ送信する。
【００３７】
画像データ送信部１４は、携帯端末４が保存場所情報に基づいてサーバ装置１にアクセスした場合、この保存場所情報が示す動画データに対応する画像データを携帯端末４へ送信する。
【００３８】
動画データ送信部１５は、携帯端末４からの要求に応じて、携帯端末４へ動画データを送信する。携帯端末４へ送信する動画データは、携帯端末４がアクセスしてきた際に用いた保存場所情報に対応したものである。
【００３９】
データベース（記憶部）１７は、画像データ、動画データ、及び管理情報を保存する。画像データ及び動画データは、携帯端末４から受信したものである。管理情報は、画像データと動画データとの対応関係や、データが登録された日付等の情報を含む。サーバ装置１は、画像データ及び動画データを登録した携帯端末４の端末情報（個体識別情報等）を取得する端末情報取得部をさらに備え、取得した端末情報を管理情報に含めてもよい。これにより、データベース１７内の画像データ及び動画データの登録日や登録に使用された携帯端末４の情報を管理することができる。
【００４０】
データベース１７は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。
【００４１】
動画配信管理部１６は、携帯端末４から受信した画像データ及び動画データをデータベース１７に保存すると、保存場所情報を生成し、この保存場所情報を含む管理情報を作成する。動画配信管理部１６は、管理情報を参照し、携帯端末４がアクセスしてきた際の保存場所情報から、対応する画像データ及び動画データを特定する。
【００４２】
図６は、画像プリント装置２のブロック構成図である。図６に示すように、画像プリント装置２は、ＣＰＵ（中央処理部）２０、タッチパネル（表示部、操作部）２１、課金部２２、プリンタ２３、通信部２４、及びメモリ２５を有する。画像プリント装置２は、デジタルカメラ等で撮影した画像データが記憶された記憶媒体から画像データを読み取り、読み取った画像をタッチパネル２１に表示し、ユーザから画像の選択、プリントサイズやプリント枚数の指定を受け付け、プリンタ２３により画像をプリント出力する機能を備えている。
【００４３】
課金部２２は、投入された貨幣を識別計数し、釣銭を出金する。プリンタ２３は、例えば昇華型熱転写方式の高解像度カラープリンタである。
【００４４】
メモリ２５は、制御プログラムを記憶する。メモリ２５は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。
【００４５】
ＣＰＵ２０が制御プログラムを実行することで、画像プリント装置２の各部を制御する制御部として機能する。
【００４６】
タッチパネル２１を介してユーザから動画付き写真のプリント注文開始指示を受け付けると、通信部２４は、無線通信機能を利用して、携帯端末４から画像データ及び保存場所情報を受信する。制御部は、図７に示すように、受信した画像データを用いて、プリント物３のサンプル画像８０をタッチパネル２１に表示する。
【００４７】
ユーザが購入画像を選択して料金を支払うと、制御部は、保存場所情報をコード化した二次元コード画像と、画像データとを合成して合成画像を作成し、プリンタ２３へ転送する。プリンタ２３は、この合成画像を印画紙にプリントし、プリント物３を出力する。
【００４８】
図８は、本実施形態による画像・動画の登録及び動画再生の処理の流れを示す図である。ここではユーザＡが携帯端末４Ａを用いて画像及び動画をサーバ装置１に登録し、ユーザＢが携帯端末４Ｂを用いてプリント物３の二次元コード３２を読み取り、動画を再生する例について説明する。
【００４９】
ユーザＡが、携帯端末４Ａを操作し、動画登録再生アプリを実行すると、メモリ４１内の動画データが選択できるようになる。ユーザＡがいずれかの動画データを選択すると、切り出し部５１が選択された動画データから複数の静止画像を切り出してディスプレイ４４に表示する（ステップＳ１０１）。ユーザＡは、複数の静止画像のいずれかを選択する。
【００５０】
携帯端末４Ａのデータ送信部５３が、ステップＳ１０１でユーザＡに選択された動画データ及び静止画像の画像データをサーバ装置１へ送信する（ステップＳ１０２）。
【００５１】
サーバ装置１は、携帯端末４Ａから受信した動画データ及び画像データをデータベース１７に保存すると共に、動画データにアクセスするための保存場所情報を携帯端末４Ａに通知する（ステップＳ１０３）。
【００５２】
ユーザＡは、画像プリント装置２を操作し、動画付き写真のプリント注文を開始する。画像プリント装置２の無線通信機能を利用して、サーバ装置１へ送信したものと同じ画像データ、及びサーバ装置１から通知された保存場所情報を、携帯端末４Ａから画像プリント装置２へ転送する（ステップＳ１０４）。
【００５３】
ユーザからの料金の支払いを受け付けると、画像プリント装置２は、保存場所情報をコード化して二次元コード画像を生成し、この二次元コード画像と、携帯端末４Ａから転送された画像データとを合成して、合成画像を生成する（ステップＳ１０５）。
【００５４】
プリンタ２３が、この合成画像を印画紙にプリントして出力する（ステップＳ１０６）。これにより、ユーザＡは、画像３１及び二次元コード３２がプリントされたプリント物３を入手することができる（ステップＳ１０７）。その後、ユーザＡは、プリント物３をユーザＢに譲渡する（ステップＳ１０８）。
【００５５】
ユーザＢが、携帯端末４Ｂの動画登録再生アプリを実行すると、カメラ４２が起動し、ディスプレイ４４上に二次元コードの読み取り指示が表示される。カメラ４２でプリント物３の二次元コード３２を撮影することで、携帯端末４Ｂは保存場所情報を取得する（ステップＳ１０９）。
【００５６】
携帯端末４Ｂの画像取得部７１は、保存場所情報に基づき、通信部４３を介してサーバ装置１にアクセスし、画像データを要求する（ステップＳ１１０）。サーバ装置１は、管理情報を参照し、携帯端末４Ｂからアクセスされた際の保存場所情報が示す動画データに対応する画像データを携帯端末４Ｂへ送信する（ステップＳ１１１）。
【００５７】
携帯端末４Ｂがサーバ装置１から画像データを受信すると、ディスプレイ４５上に画像３１の読み取り指示が表示される。カメラ４２でプリント物３の画像３１を撮影すると、特徴点比較部７２が、サーバ装置１から受信した画像と、カメラ４２で撮影した画像３１との特徴点を比較する（ステップＳ１１２）。特徴点が合致すると、携帯端末４Ｂはサーバ装置１に対し動画データを要求する（ステップＳ１１３）。
【００５８】
サーバ装置１は、ステップＳ１１１で携帯端末４Ｂへ送信した画像データに対応する動画データを携帯端末４Ｂへ送信する（ステップＳ１１５）。携帯端末４Ｂが動画データを受信すると、動画再生部７３が、公知のＡＲ技術を用いて、カメラ４２で撮影している画像３１に重畳させて動画データを再生する（ステップＳ１１５）。これにより、ディスプレイ４５では、プリント物３内の画像３１が動き出したように動画が再生される。
【００５９】
このように、本実施形態によれば、画像プリント装置２から出力されたプリント物３を携帯端末４で撮影することで、プリント物３に動画が重畳して再生されるように携帯端末４へ動画データを配信することができる。
【００６０】
動画データは、ユーザ自らサーバ装置１に登録できる。そのため、プリント物３を譲渡された他ユーザは、プリント物３にプリントされた画像だけでなく、関連する動画も楽しむことができる。
【００６１】
携帯端末４のＣＰＵ４０が動画登録再生アプリを実行することで、プリント物３が購入されずに、データだけがサーバ装置１に登録されたままとなることを防止するための期限管理部が実現されてもよい。例えば、サーバ装置１へ動画データ及び画像データを登録し、保存場所情報を受信した後、一定期間（例えば１ヶ月）以内に画像データ及び保存場所情報が画像プリント装置２へ転送されない場合、すなわちプリント物３の購入が行われていない場合、期限管理部は、携帯端末４のディスプレイ４４を用いて、未購入のプリント物３があることを報知したり、サーバ装置１に登録されたデータが消去されることをアラーム表示したりする。また、期限管理部は、画像プリント装置２へ転送されていない画像データ及び保存場所情報の数が一定数に達した場合、すなわち未購入のプリント物３の数が一定数に達した場合に、携帯端末４のディスプレイ４４を用いて、未購入のプリント物３が溜まっていることを報知したり、サーバ装置１に登録されたデータが消去されることをアラーム表示したりしてもよい。これにより、プリント物３が購入されずに、データだけがサーバ装置１に登録されたままとなることを防止し、サーバ装置１のデータベース１７を効率良く使用できる。
【００６２】
動画登録再生アプリは、画像データ及び保存場所情報を画像プリント装置２へ転送した後、すなわちプリント物３の購入が行われたと考えられる場合、携帯端末４のディスプレイ４４上に、二次元コード３２を読み取って動画の再生を試行する指示を表示してもよい。携帯端末４が二次元コード３２を読み取ってサーバ装置１にアクセスすることで、サーバ装置１は登録された動画データ及び画像データについて、動画付き写真が購入されたことを把握できる。
【００６３】
サーバ装置１は、画像データ及び動画データを登録した携帯端末４の端末情報を取得し、この携帯端末４から一定期間内に保存場所情報に基づくアクセスがない場合、登録データが消去されることを携帯端末４に通知してもよく、通知後、所定期間経過後に登録データを消去してもよい。
【００６４】
サーバ装置１は、動画再生のアクセスがあった場合のデータ保存期間（例えば２年）を定め、この保存期間の終了が近付くと、アクセス実績のある携帯端末４に対し、保存期間の終了が近いことを通知してもよい。サーバ装置１は、携帯端末４から、保存期間の延長や動画データの買い取りを有料で受け付けてもよい。料金の支払いは例えばクレジットカードを使用したオンライン決済で行われる。ユーザが保存期間の延長を選択した場合、サーバ装置１は、登録データの保存期間を延長する。ユーザが動画データの買い取りを選択した場合、サーバ装置１は携帯端末４へ動画データを送信し、この動画データをデータベース１７から削除する。これにより、再生されなくなった動画データがサーバ装置１に登録されたままとなることを防止し、サーバ装置１のデータベース１７を効率良く使用できる。
【００６５】
サーバ装置１は、携帯端末４の端末情報、携帯端末４にインストールされている動画登録再生アプリを特定する識別情報、アクセス元ＩＰアドレス等を確認して、一定期間内に、同一の携帯端末４から登録（アップロード）されるデータのサイズを制限してもよい。
【００６６】
上記実施形態では、動画データから切り出した静止画像の画像データをサーバ装置１に登録するとともに、この静止画像に二次元コードを合成してプリント物３にプリントする例について説明した。しかし、画像データから切り出された静止画像に気に入った画像がない場合は、メモリ４１内の他の画像データを選択し、サーバ装置１に登録し、画像プリント装置２へ転送してプリント物３にプリントするようにしてもよい。
【００６７】
サーバ装置１は、保存場所情報を携帯端末４へ送信する際、二次元コードのプリント位置情報をあわせて送信してもよい。画像プリント装置２は、携帯端末４から保存場所情報と共にプリント位置情報を受信し、プリント位置情報に基づいて二次元コード画像を合成する。これは、画像の特徴点比較（図８のステップＳ１１２）を行う際に、二次元コード３２が特徴点比較の妨げになることを防止するためである。
【００６８】
携帯端末４は、サーバ装置１へ送信した画像データをコピーし、コピーした画像データを編集不能となるように保持し、画像プリント装置２へ転送することが好ましい。また、画像プリント装置２は、携帯端末４から編集不能の画像データが転送された場合、自装置の編集（スタンプやフレームの追加等）機能を用いた画像編集を行えないように制御する。サーバ装置１への送信後、画像プリント装置２でのプリント前に画像データが編集されると、プリント物３上の編集された画像と、サーバ装置１に保存されている画像とで特徴点が不一致となり得るためである。
【００６９】
上記実施形態では、画像プリント装置２が保存場所情報のコード化処理を行う例について説明したが、携帯端末４の動画登録再生アプリにより行ってもよい。この場合、携帯端末４から画像プリント装置２へ二次元コード画像が転送される。
【００７０】
図７に示すように、プリント物３のサンプル画像８０をタッチパネル２１に表示する場合、サンプル画像８０内の二次元コードを、ダミー情報に基づく二次元コードとすることが好ましい。これにより、タッチパネル２１に表示されたサンプル画像８０を携帯端末で撮影して動画を再生するような行為を防止できる。
【００７１】
上記実施形態では、サーバ装置１が携帯端末４へ動画データの保存場所情報を通知する例について説明したが、サーバ装置１が携帯端末４へ保存場所情報の一部を通知するようにしてもよい。例えば、サーバ装置１は、携帯端末４が登録した動画データを特定するための情報（動画特定情報）を携帯端末４に通知する。この場合、画像プリント装置２は、サーバ装置１にアクセスするためのサーバ位置情報を保持している。画像プリント装置２は、携帯端末４から動画特定情報が転送されると、この動画特定情報と、予め保持しているサーバ位置情報とを組み合わせて保存場所情報を生成し、生成した保存場所情報をコード化して二次元コード画像を生成する。
【００７２】
上述した実施形態で説明した動画データ配信システムの少なくとも一部は、ハードウェアで構成してもよいし、ソフトウェアで構成してもよい。ソフトウェアで構成する場合には、動画データ配信システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００７３】
また、動画データ配信システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７５】
１  サーバ装置
２  画像プリント装置
３  プリント物
４  携帯端末
【図１】
0006592905.tif 000002
【図２】
0006592905.tif 000003
【図３】
0006592905.tif 000004
【図４】
0006592905.tif 000005
【図５】
0006592905.tif 000006
【図６】
0006592905.tif 000007
【図７】
0006592905.tif 000008
【図８】
0006592905.tif 000009